(57)【要約】【課題】アクセスポイントの設置位置によって携帯端末機に異なる照明エリアのレイアウト図を送信することができる照明制御システムを提供する。【解決手段】照明エリアに複数の照明器具４が設置され、この照明器具４は照明制御装置２によって制御される。アクセスポイント５は、自己の設置位置によって異なる照明エリアのレイアウト図を送信する。【選択図】図１
2014060136.tif 000002
【特許請求の範囲】
【請求項１】
照明エリアに設置された複数の照明器具と；
前記照明器具を制御可能に構成された照明制御装置と；
自己の設置位置によって異なる照明エリアのレイアウト図を送信するアクセスポイントと；
を具備したことを特徴とする照明制御システム。
【請求項２】
前記アクセスポイントは、携帯端末機からの情報要求を受け付けるとともに、前記情報要求に応じて前記携帯端末機へ前記レイアウト図を送信することを特徴とする請求項１に記載の照明制御システム。
【請求項３】
前記レイアウト図は、少なくとも前記照明器具の一台が割り当てられた分割エリアが設定され、この分割エリア毎に前記携帯端末機による照明器具の制御が可能となるように設定できることを特徴とする請求項１または２に記載の照明制御システム。
【請求項４】
設定された任意の分割エリアにおける照明器具の電力データを携帯端末機によって確認可能に構成されたことを特徴とする請求項３に記載された照明制御システム。
【請求項５】
分割エリア毎の照明器具の電力データを比較可能であることを特徴とする請求項３または４に記載の照明制御システム。
【請求項６】
照明器具以外の電力データを管理するデータサーバを有し、この電力データが一定基準を超えた場合に、携帯端末機による照明制御が制限されることを特徴とする請求項３から５のいずれか１項に記載の照明制御システム。
【請求項７】
照明器具以外の電力データを管理するデータサーバを有し、この電力データが一定基準を超えた場合に、携帯端末機へ通知することを特徴とする請求項１から６のいずれか１項に記載の照明制御システム。
【請求項８】
前記照明制御装置は、前記携帯端末機から前記レイアウト図上の所定地点での目標照度の設定を受け付けることを特徴とする請求項１から７のいずれか１項に記載の照明制御システム。
【請求項９】
前記照明制御装置は、前記携帯端末機が有する照度センサによって検出された前記所定地点の測定照度を受信し、前記複数の照明器具のうち前記所定地点近傍の照明器具をフィードバック制御して、当該所定地点の測定照度を前記目標照度とすることを特徴とする請求項８に記載の照明制御システム。
【請求項１０】
前記照明制御装置は、前記携帯端末機が有する照度センサによって検出された前記所定地点の測定照度を受信したときに照明器具のフィードバック制御を開始し、所定時間測定照度を受信しなかったときは照明器具のフィードバック制御を停止することを特徴とする請求項９に記載の照明制御システム。
【発明の詳細な説明】
【技術分野】
【０００１】
本発明の実施形態は、照明制御システムに関する。
【背景技術】
【０００２】
設定器にレイアウト図を表示させ、照明器具等の端末情報をレイアウト図上に配置された制御ポイントへ割り当てることができる照明制御システムが知られている。
【０００３】
また、照度センサを天井に設置して、検知した照度に応じて照明の照度を制御する照明制御システムが知られている。
【先行技術文献】
【特許文献】
【０００４】
【特許文献１】特開２０１２−１０４４４９号公報
【特許文献２】特開２０１０−１９８８７６号公報
【発明の概要】
【発明が解決しようとする課題】
【０００５】
しかしながら、レイアウト図上に多数の制御ポイントがある場合や、建屋の階数に応じて異なるレイアウト図が複数あるような場合には作業が煩雑である。
【０００６】
本発明は、上記課題に鑑みてなされたもので、アクセスポイントの設置位置によって携帯端末機に異なる照明エリアのレイアウト図を送信することができる照明制御システムを提供することを目的とする。
【課題を解決するための手段】
【０００７】
本発明の実施形態による照明制御システムは、照明エリアに複数の照明器具が設置され、この照明器具は照明制御装置によって制御される。アクセスポイントは、自己の設置位置によって異なる照明エリアのレイアウト図を送信する。
【発明の効果】
【０００８】
本発明の実施形態によれば、アクセスポイントの設置位置によって携帯端末機に異なる照明エリアのレイアウト図を送信することができる照明制御システムを提供することが期待できる。
【図面の簡単な説明】
【０００９】
【図１】図１は、第１の実施形態に係る照明制御システムの構成の一例を示す図である。
【図２】図２は、アクセスポイントとレイアウト図との関係を示すデータ図である。
【図３】図３は、第１の実施形態のレイアウト図である。
【図４】図４は、第１の実施形態の異なるレイアウト図である。
【図５】図５は、第１の実施形態に係る照明制御システムにおける処理の流れの一例を示す図である。
【図６】図６は、第１の実施形態に係る設定モードでの制御対象の設定処理の流れの一例を示す図である。
【図７】図７は、第１の実施形態に係る制御モードでの照明制御処理の流れの一例を示す図である。
【図８】図８は、第１の実施形態の分割エリア毎の消費電力を示したレイアウト図である。
【図９】図９は、第２の実施形態に係る照明制御システムの構成の一例を示す図である。
【図１０】図１０は、第２の実施形態に係る照度制御処理の流れの一例を示す図である。
【図１１】図１１は、第２の実施形態の分割エリア毎の目標照度を示したレイアウト図である。
【図１２】図１２は、第３の実施形態に係る照明制御システムの構成の一例を示す図である。
【発明を実施するための形態】
【００１０】
実施形態の照明制御システムは、照明エリアに設置された複数の照明器具と、照明器具を制御可能に構成された照明制御装置と、自己の設置位置によって異なる照明エリアのレイアウト図を送信するアクセスポイントと、を具備する。
【００１１】
また、実施形態の照明制御システムが具備するアクセスポイントは、携帯端末機からの情報要求を受け付けるとともに、情報要求に応じて携帯端末機へレイアウト図を送信してもよい。
【００１２】
また、実施形態の照明制御システムにおいて、レイアウト図は、少なくとも照明器具の一台が割り当てられた分割エリアが設定され、この分割エリア毎に携帯端末機による照明器具の制御が可能となるように設定できてもよい。
【００１３】
また、実施形態の照明制御システムは、設定された任意の分割エリアにおける照明器具の電力データを携帯端末機によって確認可能に構成されてもよい。
【００１４】
また、実施形態の照明制御システムは、分割エリア毎の照明器具の電力データを比較可能であってもよい。
【００１５】
また、実施形態の照明制御システムは、照明器具以外の電力データを管理するデータサーバを有し、この電力データが一定基準を超えた場合に、携帯端末機による照明制御が制限されてもよい。
【００１６】
また、実施形態の照明制御システムは、照明器具以外の電力データを管理するデータサーバを有し、この電力データが一定基準を超えた場合に、携帯端末機へ通知してもよい。
【００１７】
また、実施形態の照明制御システムが具備する照明制御装置は、携帯端末機からレイアウト図上の所定地点での目標照度の設定を受け付けてもよい。
【００１８】
また、実施形態の照明制御システムが具備する照明制御装置は、携帯端末機が有する照度センサによって検出された所定地点の測定照度を受信し、複数の照明器具のうち所定地点近傍の照明器具をフィードバック制御して、当該所定地点の測定照度を目標照度としてもよい。
【００１９】
また、実施形態の照明制御システムが具備する照明制御装置は、携帯端末機が有する照度センサによって検出された所定地点の測定照度を受信したときに照明器具のフィードバック制御を開始し、所定時間測定照度を受信しなかったときは照明器具のフィードバック制御を停止してもよい。
【００２０】
（第１の実施形態）
以下、本発明の第１の実施形態について図１乃至図８を参照して説明する。なお、各図において同一部分には同一符号を付し、重複した説明は省略する。
【００２１】
図１は、第１の実施形態に係る照明制御システムの構成の一例を示す図である。
【００２２】
図１に示す照明制御システム１は、例えば、オフィスビルや各種施設などの各フロアや各エリアなどの照明エリア毎に設置される照明器具を遠隔制御する照明制御装置２を有している。
【００２３】
照明制御装置２には、２線伝送線（以下、伝送ラインと称す）３を介して第１の実施形態の照明器具４、アクセスポイント５が接続される。
【００２４】
照明制御装置２は複数の照明器具４をまとめて制御するグループ制御、個々の照明器具４を制御する個別制御、時刻に応じて制御を行うスケジュール制御、人感センサや明るさセンサ等の各種センサデータに応じた制御、等を行う。また、照明制御装置２は各照明器具４と制御用IDやグループ情報との関係を示す設定情報、各照明器具４の点消灯等の制御情報、照明器具の累積点灯時間、消費電力、配光、光出力、光色等の器具情報を保存管理する。すなわち、照明制御装置２は本システムを統括的に制御、監視する。
【００２５】
複数の照明器具４はそれぞれ個別のIDが設定されており、伝送ライン３を介して照明制御装置２によって制御される。また、照明器具４の制御は、伝送ライン３に接続された図示しない壁スイッチ、センサ端末器、制御端末器、リレー端末器等によっても行うことができる。
【００２６】
アクセスポイント５は、伝送ライン３に接続され照明制御装置２と通信する。また、アクセスポイント５は、携帯端末機６と無線で通信可能に構成されている。アクセスポイント５は、携帯端末機６からの情報要求を受け付けるとともに、携帯端末機からの情報要求に応じて携帯端末機６へ照明エリアのレイアウト図を送信する。なお、アクセスポイント５は例えば照明エリアの天井や壁面等に設置される。アクセスポイント５は、単体で構成してもよいし照明器具４または照明制御システム１に接続される他の機器と一体的に構成してもよい。
【００２７】
携帯端末機６は、表示画面、入力手段、演算手段等を備えアクセスポイント５と通信可能に構成された端末機である。携帯端末機６として、例えば携帯電話、スマートフォン、PDA、PC等の電子機器を使用することができる。
【００２８】
図２は、アクセスポイントとレイアウト図との対応関係を示すデータ図である。言い換えると、各アクセスポイントには、自己に対応するレイアウト図が設定されている。例えば、執務室が複数のパーティションに分けられており、各パーティションにアクセスポイントが設置されている場合、各アクセスポイントには設置されているパーティションに応じたレイアウト図が設定されている。また、オフィスの各階にアクセスポイントが設置されている場合には、各階のレイアウト図がその階に設置されているアクセスポイントと対応付けて設定されていてもよい。すなわち、アクセスポイントの設置位置によって異なる照明エリアのレイアウト図が保存されている。なお、異なるアクセスポイントに同じレイアウト図を設定することも可能である。
【００２９】
図３、４は、レイアウト図の一例であり、図３と図４とは異なる照明エリアのレイアウト図を示している。例えば、図３はオフィスビルの１フロアのレイアウト図を示し、図４は同オフィスビルの他階のフロアのレイアウト図を示している。
【００３０】
図３に示すレイアウト図には、照明器具４が４８台設置されており、照明器具４が４台設置される領域をそれぞれ１つの分割エリアとして、全部で１２個の分割エリア７a〜７ｌが設定されている。
【００３１】
図４に示すレイアウト図には、照明器具４が３６台設置されており、照明器具４が４台設置される領域をそれぞれ１つの分割エリアとして、全部で９個の分割エリア８a〜８iが設定されている。
【００３２】
第１の実施形態では、このようなレイアウト図およびアクセスポイントとレイアウト図との関係を示すデータが例えば照明制御装置２の記憶手段に保存されている。
【００３３】
次に、第１の実施形態の処理の流れについて説明する。
【００３４】
図５は、第１の実施形態に係る照明制御システム１における処理の流れの一例を示す図である。図５を参照して、携帯端末機６を使用してレイアウト図を取得する処理について説明する。
【００３５】
まず、使用者はアクセスポイント５と通信可能な携帯端末機６としての携帯電話を使って、アクセスポイント５に対してレイアウト図の送信を要求する情報要求信号を送信する（ステップＳ５０１）。ここでは、携帯端末機６が「アクセスポイント１」に対して情報要求信号を送信した場合について説明する。情報要求信号を受信（ステップＳ５０２）した「アクセスポイント１」は、伝送ライン３を介して、照明制御装置２にレイアウト図を要求する（ステップＳ５０３）。このとき、「アクセスポイント１」は自己を識別するためのID、すなわち「アクセスポイント１」を示すデータを同時に送信する。この要求を受けた照明制御装置２は、自己に記憶されている図２に示すデータ図から「アクセスポイント１」に対応する「レイアウト図１」のデータを読み出し（ステップＳ５０４）、この「レイアウト図１」を「アクセスポイント１」へ送信する（ステップＳ５０５）。「レイアウト図１」に関するデータを受け取った「アクセスポイント１」は、「レイアウト図１」のデータを無線で携帯端末機６に送信する（ステップＳ５０６）。携帯端末機６は、受信した「レイアウト図１」を保存し、適宜表示する（ステップＳ５０７）。
【００３６】
一方で、携帯端末機６が「アクセスポイント２」に対して情報要求信号を送信した場合には、上記手順によって「レイアウト図２」を受信することができる。
【００３７】
このように、使用者は情報要求信号を送信するアクセスポイント５に応じて、それに対応するレイアウト図を入手することができる。
【００３８】
すなわち、例えばオフィスビルにおいて、ある階の１フロアのレイアウト図が必要な場合に、当該フロアに設置されるアクセスポイント５と当該フロアのレイアウト図とを対応付けておくことによって、必要なレイアウト図のみを容易に入手することができる。
【００３９】
次に、レイアウト図を保存した携帯端末機６による設定、制御の方法について説明する。
【００４０】
携帯端末機６は、予め照明制御に関するソフトがインストールされており、このソフトによって、携帯端末機６で制御できる照明器具４を設定するための設定モード、設定した照明器具４を制御するための制御モードを実行することができる。
【００４１】
図６は、第１の実施形態に係る設定モードでの制御対象の設定処理の流れの一例を示す図である。図６を参照して、設定モードでの処理の流れを説明する。
【００４２】
携帯端末機６に保存したレイアウト図には、少なくとも照明器具４の一台、第１の実施形態では４台が割り当てられた分割エリアが設定されている。まず、使用者は、携帯端末機６にインストールされたソフトによって、設定モードを実行する（ステップＳ６０１）。そして、使用者は、携帯端末機６上にレイアウト図を表示させる（ステップＳ６０２）。使用者は、表示されたレイアウト図上で、当該携帯端末機６による制御の対象とする分割エリアを指定する（ステップＳ６０３）。例えば、分割エリア７aを制御対象として指定すると、携帯端末機６は自己を識別するために必要なID情報（例えば、電話番号や端末機の識別番号）とともに、アクセスポイント５を介して照明制御装置２に対して、分割エリア７aを携帯端末機６によって制御可能となるように設定する要求信号を送信する（ステップＳ６０４）。要求信号に応じて、照明制御装置２は、当該携帯端末機６のID情報と、分割エリア７ａとを制御可能な対応関係として記憶する（ステップＳ６０５）。これによって、「レイアウト図１」の分割エリア７aが携帯端末機６によって制御可能な状態となる。つまり、照明制御装置２には携帯端末機６のID情報と分割エリア７aとが制御可能な対応関係として記憶され、この対応関係が記憶されていない場合には携帯端末機６は分割エリア７aの照明器具４を制御することができない。
【００４３】
ここで、照明制御装置２は、１つの分割エリアに対して１つのID情報のみを制御可能な対応関係として記憶することができる。この場合には、１つの分割エリアについては常に１台の携帯端末機６のみによって制御可能となるため、他人の誤使用を防止することができる。
【００４４】
なお、１つの分割エリアに対する複数の携帯端末機６による設定を禁止する場合には、照明制御装置２がレイアウト図を送信するときに、レイアウト図とともに設定済み情報を送信し、携帯端末機６でレイアウト図を表示したときに、既に設定済みであり設定不可であることを示すようにしてもよい。
【００４５】
また、１つの分割エリアに対して複数のID情報を制御可能な対応関係として記憶してもよく、この場合には複数人で制御することができるので利便性が向上する。さらに、複数のID情報において優先順位を設定してもよく、優先順位の高いID情報を持つ携帯端末機６による制御が最優先で反映されるようにしてもよい。これによって、個人による制御に対して規制をかけることができ、照明器具４の無駄な使用を防止することができる。
【００４６】
次に、図７を参照して、携帯端末機６の制御モードでの照明制御処理の流れを説明する。図７は、第１の実施形態に係る制御モードでの照明制御処理の流れの一例を示す図である。
【００４７】
携帯端末機６にインストールされたソフトによる制御モードでは、携帯端末機６に表示したレイアウト図または制御用画面によって対象となる分割エリアの照明器具を制御する。具体的には、携帯端末機６のID情報と制御したい分割エリアとを含む制御信号をアクセスポイント５を介して照明制御装置２に送信し、制御信号を受信した照明制御装置２はID情報と分割エリアとが制御可能な対応関係として記憶されている場合には、当該分割エリアの照明器具を制御する。
【００４８】
まず、使用者は、制御モードを実行する（ステップＳ７０１）。そして使用者は、携帯端末機６にレイアウト図を表示させる（ステップＳ７０２）。そして、使用者は、表示されたレイアウト図上で制御したい照明器具を選択する（ステップＳ７０３）。さらに、使用者は、制御したい内容を指定する（ステップＳ７０４）。たとえば、使用者は、照度を上げること、下げること、照明器具をオフにすること、オンにすること等を指定する。携帯端末機６上にドロップダウンメニュー等を表示して、その中から使用者が制御内容を選択できるように構成してもよい。
【００４９】
次に、使用者は、選択した照明器具の情報と指定した制御内容をアクセスポイント５を介して照明制御装置２に送信する（ステップＳ７０５）。このとき、自動的に当該携帯端末機６のID情報も送信される。情報を受信した照明制御装置２は、送信された照明器具の情報（分割エリア）と携帯端末機６のID情報とが制御可能な対応関係として記憶されているか否かを確認する（ステップＳ７０６）。対応関係が記憶されている場合（ステップＳ７０７、肯定）、照明制御装置２は、指定された制御内容を実行する（ステップＳ７０８）。対応関係が記憶されていない場合（ステップＳ７０７、否定）、照明制御装置２は、指定された制御内容を実行せず拒否する（ステップＳ７０９）。このとき、照明制御装置２は、制御内容の実行有無を通知する信号を携帯端末機６に送信するものとしてもよい。これによって携帯端末機６からの照明制御処理が終わる。
【００５０】
次に、携帯端末機６によって照明エリアに設置された照明器具４の電力データを確認、比較する方法について説明する。
【００５１】
照明制御装置２は、各照明器具４による消費電力、消費電力量等の電力データを保存しており、携帯端末機６からの要求によって、電力データとレイアウト図とを送信し、携帯端末機６では例えば図８のようにレイアウト図上に消費電力を示した図を表示することができる。図８は、第１の実施形態の分割エリア毎の消費電力を示したレイアウト図である。ここで、例えば０Wの分割エリアは照明器具４が消灯していることを示し、消費電力の相違は例えば照明器具４の調光度の違いによって変化する。これによって、自分が制御している分割エリアの消費電力がわかるとともに、他の分割エリアの消費電力との比較を行うことができる。これによって、省エネルギーの意識を向上させることができる。また、消費電力が相対的に高い、または低い分割エリアを容易に認識することができ、例えば、消費電力が常に高い場所には高効率の照明器具を設置する等の意識付けを行うことができる。
【００５２】
また、電力データとして消費電力そのものではなく、例えば調光などによって全光点灯させている状態に対してどれだけ消費電力を削減できているかを示す節電量または電力カット比率等を表示するようにしてもよい。
【００５３】
また、照明制御装置２に節電量や消費電力に関する基準値を設定しておき、節電量や消費電力がある基準値を下回った場合にはそれを示すメッセージを携帯端末機６に送信し、必要以上に節電することを防止するようにしてもよい。
【００５４】
（第２の実施形態）
次に、第２の実施形態について説明する。第２の実施形態は、携帯電話に設けた照度センサによって照明器具の照度を検知し、目標照度を達成するようにフィードバック制御を行う。
【００５５】
天井に照度センサを設けて照度を制御することも考えられる。しかし、天井に固定された照度センサを用いて、任意の場所の照度を目標照度になるように制御することはできない。そこで、第２の実施形態では、携帯電話に照度センサを設けて、使用者が携帯電話を持ち歩くことにより任意の場所の照度調整を行うことができるように構成した。
【００５６】
第２の実施形態について図９を参照して説明する。図９は、第２の実施形態に係る照明制御システムの構成の一例を示す図である。図９に示すように、第２の実施形態の照明制御システム１Ａにおいては、携帯端末機６Ａは、照度センサ９を有する。その他の構成は、第１の実施形態に係る照明制御システム１と同様である。以下、第１の実施形態と異なる機能および構成について説明し、共通の機能および構成には同様の符号を付し詳細な説明は省略する。
【００５７】
図９に示す照明制御システム１Ａにおいては、使用者は、携帯端末機６Ａを携帯して制御可能な分割エリアに行き、携帯端末機６Ａが有する照度センサ９により、当該エリアの照度を測定することができる。照度センサ９が検出した照度は、アクセスポイント５を介して照明制御装置２Ａに送信される。照明制御装置２Ａは、あらかじめ設定されている目標照度と、検出した照度とを比較し、目標照度を達成するように照明器具を制御する。
【００５８】
図１０を参照して、第２の実施形態における照度制御処理の流れの一例を説明する。図１０は、第２の実施形態に係る照度制御処理の流れの一例を示す図である。まず、使用者は、携帯端末機６Ａにインストールされたソフトによる照度ＦＢ（フィードバック）制御モードを実行する（ステップＳ１００１）。そして、使用者は、携帯端末機６Ａを使用してフィードバック制御したい場所のレイアウト図を取得する（ステップＳ１００２）。レイアウト図の取得は、第１の実施形態と同様に行う。使用者は、レイアウト図を携帯端末機６Ａ上に表示させて、制御対象とする分割エリアを選択するとともに、目標照度を設定する（ステップＳ１００３）。この処理も第１の実施形態と同様である。
【００５９】
次に、使用者は、携帯端末機６Ａを、照度制御したい場所にもっていき、携帯端末機６Ａの照度センサ９を起動させる（ステップＳ１００４）。なお、照度センサ９は、照度ＦＢ制御モードを実行した時点で自動的に起動されるものとしてもよい。照度センサ９はその場所の照度を検出し、検出した照度値が携帯端末機６Ａからアクセスポイント５を介して照明制御装置２に送信される（ステップＳ１００５）。照明制御装置２は、設定された目標照度と、検出された照度とを比較して、検出された照度が目標照度に近づくようにフィードバック制御を行う（ステップＳ１００６）。これによって処理が終了する。
【００６０】
なお、携帯端末機６Ａに目標照度の情報を記憶しておき、検出した照度が目標照度とほぼ同じであれば、照明制御装置２への情報送信を行わず処理を終了するものとしてもよい。また、照明制御装置２は照度値を受信した場合にフィードバック制御を開始し、一定時間照度値を受信しなかった場合はフィードバック制御を停止し、通常の制御、例えば予め設定された調光度で点灯制御を行うようにしてもよい。
【００６１】
また、使用者が、制御対象とする照明器具４を選択せずに処理を行うように構成してもよい。たとえば、携帯端末機６Ａの現在位置を携帯端末機６Ａから照明制御装置２Ａに送信させて、携帯端末機６Ａの現在位置の照度に影響する照明器具４を照明制御装置２Ａが選択して照度を調整してもよい。この場合に、制御対象とする照明器具４は一つでも複数でもよい。また、使用者がレイアウト図上で特定の位置を選択し、当該位置について目標照度を設定した上で、検出照度と比較してフィードバック制御させるようにしてもよい。
【００６２】
また、図１１に示すように、目標照度が設定されている分割エリアについてはレイアウト図上に目標照度が表示されるようにしてもよい。図１１は、第２の実施形態の分割エリア毎の目標照度を示したレイアウト図である。また、照度ＦＢ制御モードが実行されている間は、レイアウト図上に目標照度と、照度センサ９により測定された測定照度とが並べて表示されるようにしてもよい。また、照度センサ９が検出する照度の変化にあわせて表示される測定照度が変化するように構成してもよい。
【００６３】
（第３の実施形態）
次に、第３の実施形態について図１２を用いて説明する。図１２は、第３の実施形態に係る照明制御システムの構成の一例を示す図である。図１２に示す照明制御システム１０は複数の照明制御装置２がハブ１１を介してデータサーバ１２と接続されている点が第１および第２の実施形態とは相違する。照明制御装置２以下のシステムについては図１に示す照明制御システム１と同様であるため同一の構成には同符号を付して詳細な説明は省略する。
【００６４】
データサーバ１２は、例えばオフィスビル全体の負荷制御装置を管理する管理サーバであり、少なくとも負荷制御装置の電力データを収集、保存、管理している。負荷制御装置とは、照明器具、エアコン、エレベータ、その他電力を消費する機器が含まれる。照明器具４に関する電力データは照明制御装置２から収集し、照明器具以外の電力データについては他の制御装置から入手し管理している。
【００６５】
データサーバ１２は、自己が管理する負荷制御装置の消費電力を監視しており、照明器具４以外の電力データが一定基準を超えた場合、例えば消費電力が所定値を超えた場合には、消費電力が所定値を超えている旨を照明制御装置２へ送信する。照明制御装置２は伝送ライン３で接続されているアクセスポイント５を介して携帯端末機６に送信する。これによって、携帯端末機６を所有する使用者はオフィスビルにおける電力使用量が基準値以上であることを容易に認識することができる。
【００６６】
また、電力データが一定基準を超えた旨の通知を受けた照明制御装置２は、携帯端末機６による制御を制限する。例えば、携帯端末機６による制御を不可能な状態にするか、照明制御装置２による直接制御を優先する。これによって、個人による制御を規制し、電力消費を抑えた制御状態を実現することができる。例えば、照明制御装置２により不要な照明を消灯あるいは減光する省エネルギーモードによる照明制御を行うようにしてもよい。
【００６７】
なお、本発明は、上記実施形態の構成に限定されることなく、発明の要旨を逸脱しない範囲で種々の変形が可能である。また、上記実施形態は、一例として提示したものであり、発明の範囲を限定することは意図していないものである。
【００６８】
例えば、上記実施形態において、レイアウト図は照明制御装置２，２Ａが記憶している場合について説明したが、データサーバ１２、あるいはアクセスポイント５が記憶するように構成してもよい。
【００６９】
また、上記実施形態においては、データサーバ１２がハブ１１を介して接続される構成であるが、照明制御装置２とデータサーバ１２とが直接接続されていてもよいし、データサーバ１２と同等の機能を照明制御装置２が有する構成であってもよい。
【符号の説明】
【００７０】
１、１Ａ、１０  照明制御システム
２、２Ａ  照明制御装置
３  伝送ライン
４  照明器具
５  アクセスポイント
６、６Ａ  携帯端末機
７a〜７l、８a〜８i  分割エリア
９  照度センサ
１１  ハブ
１２  データサーバ
【図１】
2014060136.tif 000003
【図２】
2014060136.tif 000004
【図３】
2014060136.tif 000005
【図４】
2014060136.tif 000006
【図５】
2014060136.tif 000007
【図６】
2014060136.tif 000008
【図７】
2014060136.tif 000009
【図８】
2014060136.tif 000010
【図９】
2014060136.tif 000011
【図１０】
2014060136.tif 000012
【図１１】
2014060136.tif 000013
【図１２】
2014060136.tif 000014